(57)【要約】      （修正有）【課題】上着の胸ポケットに挿入するだけで手軽に上着を装飾でき、またポケットチーフの形状や色彩を、目的、状況、気分に合わせて、一つのポケットチーフで形状や柄を２つずつ選択できるポケットチーフを提供する。【解決手段】胸ポケットに挿入して上着を装飾するポケットチーフ１において、カード形状のホルダー部２と、ホルダー部２の一辺に第一装飾用ハンカチーフ部３−１と、その対辺に第二装飾用ハンカチーフ部３−２と、を備え、第一装飾用ハンカチーフ部３−１と第二装飾用ハンカチーフ部３−２とを、それぞれホルダー部２から延在して露出するようにホルダー部２によって挟着する。【選択図】図１
0003194094.tif 000002
【実用新案登録請求の範囲】
【請求項１】
胸ポケットに挿入して上着を装飾するポケットチーフにおいて、カード形状のホルダー部と、該ホルダー部の一辺に第一装飾用ハンカチーフ部と、その対辺に第二装飾用ハンカチーフ部と、を備え、前記第一装飾用ハンカチーフ部と前記第二装飾用ハンカチーフ部とを、それぞれホルダー部から延在して露出するように前記ホルダー部によって挟着したことを特徴とするポケットチーフ。
【請求項２】
前記第一装飾用ハンカチーフ部と前記第二装飾用部とが、それぞれの形状を違えたことを特徴とする請求項１に記載のポケットチーフ。
【請求項３】
前記形状が、一方が襞のある半円形であり、他方が襞のない角形であることを特徴とする請求項２に記載のポケットチーフ。
【請求項４】
前記第一装飾用ハンカチーフ部と前記第二装飾用ハンカチーフ部とが、それぞれ、表面と裏面の模様を違えたことを特徴とする請求項１又は２又は３に記載のポケットチーフ。
【請求項５】
前記第一装飾用ハンカチーフ部と前記第二装飾用ハンカチーフ部とが、それぞれ、表面と裏面の色彩を違えたことを特徴とする請求項１から４のいずれかに記載のポケットチーフ。
【考案の詳細な説明】
【技術分野】
【０００１】
本考案は、上着の胸ポケットに挿入するだけで、手軽に上着を装飾することができるポケットチーフに関するものである。
【背景技術】
【０００２】
ポケットチーフは、上着の胸部を飾り、結婚式等のパーティーで、男性のフォーマルウェアに必要なアイテムである。しかし、ポケットチーフは、折り方が難しく、その形状を維持することも容易ではなかった。
【０００３】
そこで、従来から、ポケットチーフの形状を保持する様々な補助具が発明されてきており、例えば、中央部に縦のスリットを有する内枠に、ハンカチーフを挟んで形を整え、該内枠によってその形状を保持することができるポケットチーフ保持用内枠の発明が先行技術として開示されている（文献１）。
【先行技術文献】
【特許文献】
【０００４】
【特許文献１】特開２０１０−９５８３０号公報（〔請求項１〜４〕、〔０００７〜００２５〕、〔図１〜８〕）。
【考案の概要】
【考案が解決しようとする課題】
【０００５】
前記の先行技術は、ハンカチーフを見栄えする形に形成し易く、また、その形状を保持できる点で有効であるが、保持用内枠にハンカチーフの基本形状を折りこむというやはり手間がかかることが問題であった。
【０００６】
そこで、上記の問題を解決するために、上着の胸ポケットに挿入するだけで手軽に上着を装飾でき、またポケットチーフの形状や色彩を、目的、状況、気分に合わせて、一つのポケットチーフで形状や柄を２つずつ選択できるポケットチーフを考案して提供するものである。
【課題を解決するための手段】
【０００７】
本考案の請求項１に係るポケットチーフは、胸ポケットに挿入して上着を装飾するポケットチーフにおいて、カード形状のホルダー部と、該ホルダー部の一辺に第一装飾用ハンカチーフ部と、その対辺に第二装飾用ハンカチーフ部と、を備え、前記第一装飾用ハンカチーフ部と前記第二装飾用ハンカチーフ部とを、それぞれホルダー部から延在して露出するように前記ホルダー部によって挟着したことを特徴とする。
【０００８】
請求項２に係るポケットチーフは、前記第一装飾用ハンカチーフ部と前記第二装飾用部とが、それぞれの形状を違えたことを特徴とする。また、請求項３に係るポケットチーフは、請求項２において、前記形状が、一方が襞のある半円形であり、他方が襞のない角形であることを特徴とする。
【０００９】
。請求項４に係るポケットチーフは、請求項１又は２又は３において、前記第一装飾用ハンカチーフ部と前記第二装飾用ハンカチーフ部とが、それぞれ、表面と裏面の模様を違えたことを特徴とする。
【００１０】
請求項５に係るポケットチーフは、請求項１から４のいずれかにおいて、前記第一装飾用ハンカチーフ部と前記第二装飾用ハンカチーフ部とが、それぞれ、表面と裏面の色彩を違えたことを特徴とする。
【００１１】
本考案に係るポケットチーフは、薄板状であって略長方形又は正方形のホルダー部と、その一辺と対辺とにそれぞれ装飾用ハンカチーフ部とを備えいる。また、装飾用ハンカチーフ部は、ホルダー部に挟むように縫い付けて固定しているので、装飾用ハンカチーフ部は、その形状を維持できる。よって、本考案に係るポケットチーフを用いれば、予め折りたたまれて装飾された状態で固定されたポケットチーフとなっているので、そのまま上着の胸ポケットに入れるだけで使用できるし、また、その状態を維持できる。よって、従来のポケットチーフ特有の折りたたんで装飾するという煩わしい手間を省くことができる。
【００１２】
また、カード状のホルダー部は、台紙、皮革、合成樹脂等で作られており、ある程度の厚みを有しているので、体に合わせて弾性変形すると共に腰の強さを有しているので折れ曲がったりしない。よって、本願考案に係るポケットチーフは、上着のポケットに挿入しても、ポケットの開口部から装飾用ハンカチーフ部を、形状が変化せずに露出した状態を維持することができる。
【００１３】
また、それぞれ２つの装飾用ハンカチーフ部は、形状が異なっているので、ホルダー部の上下に設けられた２種類の装飾用ハンカチーフ部の形状を選択して、胸ポケットから装飾用ハンカチーフ部を露出させて使用できる。また、それぞれの装飾用ハンカチーフ部の形状は、表と裏で、異なる模様や異なる色彩にすることができる。よって、本考案に係るポケットチーフは、４種類の装飾用ハンカチーフ部を使用することができるので、使用する状況や気分に合わせて選択して楽しむことができる。
【考案の効果】
【００１４】
本考案に係るポケットチーフによれば、折りたたんで装飾する煩わしい手間を省くことができるので、不器用な人にもポケットチーフを手軽に楽しむことができる。また、使用する状況や気分に合わせて４種類の装飾用ハンカチーフ部を選択して楽しむことができる。また、ポケットの開口部から装飾されたハンカチーフ部を、形状が変化せず、また、露出した状態を維持することができることができる。
【図面の簡単な説明】
【００１５】
【図１】図１は、本考案を実施するための形態に係るポケットチーフであって、（ａ）は、表側の模式的正面図、（ｂ）は、（ａ）の模式的裏面図、及び（ｃ）は、模式的側面図である。
【図２】図２は、本考案を実施するための形態に係るポケットチーフであって、（ａ）は、使用状態の１例を示す模式的正面図、及び（ｂ）は、（ａ）のポケットチーフを上下、表裏を入替えた使用状態の１例を示す模式的正面図である。
【考案を実施するための形態】
【００１６】
本考案に係るポケットチーフ１は、図１に示すように、ホルダー部２と、装飾用ハンカチーフ部３と、から構成されている。
【００１７】
ホルダー部２は、略長方形又は正方形のカード形状をしており、表裏２枚から構成されている。図１（ａ）、（ｂ）に示すように、略長方形の短辺側の一辺に、第一装飾用ハンカチーフ部３−１を、その対辺に第二装飾用ハンカチーフ部３−２を挟み込むようにして、糸で縫い付けて縫製部２−１で固定している。ホルダー部２は、台紙、皮革、合成樹脂等で作られており、ある程度の厚みを有しているので、体に合わせて弾性変形すると共に腰の強さを有しているので折れ曲がったりしない。なお、接着剤を用いて、ホルダー部２で装飾用ハンカチーフ部３−１、３−２を挟み込んで接着してもよい。
【００１８】
図１（ａ）、（ｂ）に示すように、装飾用ハンカチーフ部３は、第一装飾用ハンカチーフ部３−１と第二装飾用ハンカチーフ部３−２とから、構成されている。第一装飾用ハンカチーフ部３−１と第二装飾用ハンカチーフ部３−２は、それぞれ表裏に別々の模様・色彩である生地を第一装飾用ハンカチーフ部表面３−１−１、第一装飾用ハンカチーフ部裏面３−１−２及び第二装飾用ハンカチーフ部表面３−２−１、第二装飾用ハンカチーフ部裏面３−２−２に用いている。 
【００１９】
例えば、図１（ａ）、図１（ｂ）に示すように、第一装飾用ハンカチーフ部３−１は、襞のついた略半円形状に、第二装飾用ハンカチーフ部３−２は、略長方形状（角型形状）にすることができる。さらに、第一装飾用ハンカチーフ部表面３−１−１を無地の紫色、第一装飾用ハンカチーフ部裏面３−１−２を水玉模様の紫色、第二装飾用ハンカチーフ部表面３−２−１を無地の銀色、第二装飾用ハンカチーフ部裏面３−２−２を水玉模様の銀色などにすることができる。このように、表同士３−１−１、３−１−２又は裏同士３−２−１、３−２−２を同じ模様や色彩の生地を用いてもよく、装飾用ハンカチーフ部３は、２種類形状と、最大で４種類の模様・色彩によって、４種類の形状、模様・色彩を備えることができる。
【００２０】
図２に示すように、本考案に係るポケットチーフ１の使用方法は、非常に簡易であり、第一装飾用ハンカチーフ部表面３−１−１、第一装飾用ハンカチーフ部裏面３−１−２、第二装飾用ハンカチーフ部表面３−２−１、第二装飾用ハンカチーフ部裏面３−２−２の４つ形状、模様・色彩の中から、使用する状況や気分に合わせて１つを選択する。例えば、第一装飾用ハンカチーフ部表面３−１−１を選択した場合には、その選択した装飾用ハンカチーフ部３−１−１が表面の上側になるように上着１０の胸ポケット１１に挿入して、ホルダー部２より下側がポケット１１内に収まって見えないようして、選択した装飾用ハンカチーフ部３−１−１のみが胸ポケット１１から露出するようにすればよい。
【産業上の利用可能性】
【００２１】
ポケットチーフを使用する服飾の分野で広く利用できる。
【符号の説明】
【００２２】
１：ポケットチーフ
２：ホルダー部
２−１縫製部
３：装飾用ハンカチーフ部  
３−１：第一装飾用ハンカチーフ部
３−２：第二装飾用ハンカチーフ部
３−１−１：第一装飾用ハンカチーフ部表面
３−１−２：第一装飾用ハンカチーフ部裏面
３−２−１：第二装飾用ハンカチーフ部表面
３−２−２：第二装飾用ハンカチーフ部裏面
１０：上着
１１：胸ポケット
【図１】
0003194094.tif 000003
【図２】
0003194094.tif 000004